(57)【要約】  【課題】筐体13の上部に配置された電照部32を利用して筐体13の内部を照明できるメダル貸機を提供する。  【解決手段】本体11と本体11に開閉可能に設けた扉体12とで、メダル貸機の筐体13を設ける。本体11の上部に、直管形蛍光ランプ36を有する電照部32を配置する。支持手段37により、電照部32を、本体11の上部の電照位置と、本体11から扉体12を開放した開放域を通じて本体11の内部を照明する内部照明位置との間で、移動可能に支持する。内部照明位置に移動させた電照部32からの光で本体11の内部を照明する。  【選択図】図１
2005339440.tif 000002
【特許請求の範囲】
【請求項１】
本体、およびこの本体に開閉可能に設けられた扉体を有する筐体と、
この筐体の上部に配置された光源を有する電照部と、
この電照部を筐体の上部の電照位置と本体から扉体を開放した筐体の開放域を通じて筐体の内部を照明する内部照明位置との間で移動可能に支持する支持手段と
を具備していることを特徴とする筐体装置。
【請求項２】
支持手段は、電照部を筐体の上部の電照位置と本体から扉体を開放した筐体の開放域上に倒れる内部照明位置との間で回動可能に支持する
ことを特徴とする請求項１記載の筐体装置。
【請求項３】
電照部の下面に光源の光が透光される下面透光部が設けられ、
支持手段は、電照部を筐体の上部の電照位置と本体から扉体を開放した筐体の開放域上に前記下面透光部が臨む内部照明位置との間で水平方向に回動可能に支持する
ことを特徴とする請求項１記載の筐体装置。
【請求項４】
電照部は、光源として直管形蛍光ランプを有し、電照部が内部照明位置に移動したときに直管形蛍光ランプが下面透光部を通じて本体の内部へ向けて対向するように傾斜状に配置されている
ことを特徴とする請求項３記載の筐体装置。
【請求項５】
扉体の開閉を検知する開閉検知手段と、
支持手段を介して電照部を電照位置と内部照明位置との間で移動させる駆動手段と、
前記開閉検知手段が扉体の開放を検知すれば駆動手段で電照部を電照位置から内部照明位置に移動させ、開閉検知手段が扉体の閉鎖を検知すれば駆動手段で電照部を内部照明位置から電照位置に移動させる制御手段とを具備している
ことを特徴とする請求項１ないし４いずれか記載の筐体装置。
【請求項６】
扉体の開放移動に連動して電照部を電照位置から内部照明位置に移動させるとともに、扉体の閉鎖移動に連動して電照部を内部照明位置から電照位置に移動させる連動機構を具備している
ことを特徴とする請求項１ないし４いずれか記載の筐体装置。
【請求項７】
本体の上面に、電照部が電照位置にあるときにこの電照部によって開放が規制されるとともに電照部が内部照明位置に移動することで開放可能とする扉部が開閉可能に設けられている
ことを特徴とする請求項１ないし６いずれか記載の筐体装置。
【発明の詳細な説明】
【技術分野】
【０００１】
本発明は、筐体の上部に電照部を配置した筐体装置に関する。
【背景技術】
【０００２】
従来、筐体装置は、例えば、ゲームセンターなどの遊技店に設置されてメダルを貸し出すメダル貸機や貨幣を両替する両替機などに用いられている。
【０００３】
このようなメダル貸機や両替機では、筐体の上部に電照部を配置し、この電照部によってメダル貸機や両替機の存在場所を目立たせるようにしている。電照部は、透光性を有するサインボードを筐体の上部に固定し、このサインボードの後方から光源の光で照らすようにしている（例えば、特許文献１参照。）。
【０００４】
しかし、ゲームセンターなどでは、メダル貸機や両替機が比較的薄暗いところに設置されることが多く、例えば貨幣の回収やエラー解除などのために扉体を開けてメンテナンス作業をする際、本体の内部が薄暗く、作業しにくい。このとき、本体の上部に電照部の光源が配置されていても、この電照部の光源から陰になる本体の内部には光源からの光が届きにくい。
【０００５】
また、自動販売機においては、扉体に光源を有する商品見本展示部が設けられているため、この商品見本展示部の背面に採光窓扉で開閉可能とする採光窓を設けておくことにより、例えば本体に商品を装填するために扉体を開いたときに、採光窓扉を開いて商品見本展示部の光源の光を採光窓から本体側に照射させて照明し、夜間などでも作業しやすいようにしている（例えば、特許文献２参照。）。
【特許文献１】意匠登録第１０８４１０３の類似１号公報
【特許文献２】特開平１１−１４９５８４号公報（第４頁、図４）
【発明の開示】
【発明が解決しようとする課題】
【０００６】
上述したように、メダル貸機や両替機では、上部の電照部に光源を備えているものの、この光源からの光が扉体を開けた本体の内部に届きにくく、例えば貨幣の回収やエラー解除などのために扉体を開けてメンテナンス作業をする際、本体の内部が薄暗く、作業しにくい問題がある。
【０００７】
また、自動販売機のように、扉体に設けられた商品見本展示部の光源の光を採光窓から本体側に照射させて照明する場合、自動販売機の種類によっては扉体の内面に各種のユニットが配置されることが多く、採光窓を採用すること自体が難しかったり、本体の内部を十分に照明できる採光窓を形成できるとは限らない問題がある。
【０００８】
本発明は、このような点に鑑みなされたもので、筐体の上部に配置された電照部を利用して筐体の内部を照明できる筐体装置を提供することを目的とする。
【課題を解決するための手段】
【０００９】
請求項１記載の筐体装置は、本体、およびこの本体に開閉可能に設けられた扉体を有する筐体と、この筐体の上部に配置された光源を有する電照部と、この電照部を筐体の上部の電照位置と本体から扉体を開放した筐体の開放域を通じて筐体の内部を照明する内部照明位置との間で移動可能に支持する支持手段とを具備しているものである。
【００１０】
そして、光源を有する電照部を、筐体の上部の電照位置と本体から扉体を開放した筐体の開放域を通じて筐体の内部を照明する内部照明位置との間で移動可能に設けたことにより、内部照明位置に移動させた電照部からの光で筐体の内部を照明し、作業しやすくなる。
【００１１】
請求項２記載の筐体装置は、請求項１記載の筐体装置において、支持手段は、電照部を筐体の上部の電照位置と本体から扉体を開放した筐体の開放域上に倒れる内部照明位置との間で回動可能に支持するものである。
【００１２】
そして、電照部を、筐体の上部の電照位置と本体から扉体を開放した筐体の開放域上に倒れる内部照明位置との間で回動可能に設けたことにより、内部照明位置に倒した電照部からの光で筐体の内部を照明する。
【００１３】
請求項３記載の筐体装置は、請求項１記載の筐体装置において、電照部の下面に光源の光が透光される下面透光部が設けられ、支持手段は、電照部を筐体の上部の電照位置と本体から扉体を開放した筐体の開放域上に前記下面透光部が臨む内部照明位置との間で水平方向に回動可能に支持するものである。
【００１４】
そして、下面に光源の光が透光される下面透光部が設けられた電照部を、筐体の上部の電照位置と本体から扉体を開放した筐体の開放域上に下面透光部が臨む内部照明位置との間で水平方向に回動可能に設けたことにより、内部照明位置に回動させた電照部からの光で筐体の内部を照明する。
【００１５】
請求項４記載の筐体装置は、請求項３記載の筐体装置において、電照部は、光源として直管形蛍光ランプを有し、電照部が内部照明位置に移動したときに直管形蛍光ランプが下面透光部を通じて本体の内部へ向けて対向するように傾斜状に配置されているものである。
【００１６】
そして、電照部の光源として有する直管形蛍光ランプを、電照部が内部照明位置に移動したときに直管形蛍光ランプが下面透光部を通じて本体の内部へ向けて対向するように傾斜状に配置したことにより、本体の内部をより明るく照明する。
【００１７】
請求項５記載の筐体装置は、請求項１ないし４いずれか記載の筐体装置において、扉体の開閉を検知する開閉検知手段と、支持手段を介して電照部を電照位置と内部照明位置との間で移動させる駆動手段と、前記開閉検知手段が扉体の開放を検知すれば駆動手段で電照部を電照位置から内部照明位置に移動させ、開閉検知手段が扉体の閉鎖を検知すれば駆動手段で電照部を内部照明位置から電照位置に移動させる制御手段とを具備しているものである。
【００１８】
そして、開閉検知手段が扉体の開放を検知すれば駆動手段で電照部を電照位置から内部照明位置に自動的に移動させ、開閉検知手段が扉体の閉鎖を検知すれば駆動手段で電照部を内部照明位置から電照位置に自動的に移動させることにより、電照部を移動させる手間が省ける。
【００１９】
請求項６記載の筐体装置は、請求項１ないし４いずれか記載の筐体装置において、扉体の開放移動に連動して電照部を電照位置から内部照明位置に移動させるとともに、扉体の閉鎖移動に連動して電照部を内部照明位置から電照位置に移動させる連動機構を具備しているものである。
【００２０】
そして、連動機構により、扉体の開放移動に連動して電照部を電照位置から内部照明位置に自動的に移動させるとともに、扉体の閉鎖移動に連動して電照部を内部照明位置から電照位置に自動的に移動させることにより、電照部を移動させる手間が省ける。
【００２１】
請求項７記載の筐体装置は、請求項１ないし６いずれか記載の筐体装置において、本体の上面に、電照部が電照位置にあるときにこの電照部によって開放が規制されるとともに電照部が内部照明位置に移動することで開放可能とする扉部が開閉可能に設けられているものである。
【００２２】
そして、電照位置にある電照部によって本体の上面に開閉可能に設けられた扉部の開放を規制するとともに、電照部を内部照明位置に移動させることで扉体の開放を許容することにより、例えば電照部を大形にしても扉部を開閉可能とする。
【発明の効果】
【００２３】
請求項１記載の筐体装置によれば、光源を有する電照部を、筐体の上部の電照位置と本体から扉体を開放した筐体の開放域を通じて筐体の内部を照明する内部照明位置との間で移動可能に設けたため、内部照明位置に移動させた電照部からの光で筐体の内部を照明でき、作業しやすくできる。
【００２４】
請求項２記載の筐体装置によれば、請求項１記載の筐体装置の効果に加えて、電照部を、筐体の上部の電照位置と本体から扉体を開放した筐体の開放域上に倒れる内部照明位置との間で回動可能に設けたため、内部照明位置に倒した電照部からの光で筐体の内部を照明できる。
【００２５】
請求項３記載の筐体装置によれば、請求項１記載の筐体装置の効果に加えて、下面に光源の光が透光される下面透光部が設けられた電照部を、筐体の上部の電照位置と本体から扉体を開放した筐体の開放域上に下面透光部が臨む内部照明位置との間で水平方向に回動可能に設けたため、内部照明位置に回動させた電照部からの光で筐体の内部を照明できる。
【００２６】
請求項４記載の筐体装置によれば、請求項３記載の筐体装置の効果に加えて、電照部の光源として有する直管形蛍光ランプを、電照部が内部照明位置に移動したときに直管形蛍光ランプが透光部を通じて本体の内部へ向けて対向するように傾斜状に配置したため、本体の内部をより明るく照明できる。
【００２７】
請求項５記載の筐体装置によれば、請求項１ないし４いずれか記載の筐体装置の効果に加えて、開閉検知手段が扉体の開放を検知すれば駆動手段で電照部を電照位置から内部照明位置に自動的に移動させ、開閉検知手段が扉体の閉鎖を検知すれば駆動手段で電照部を内部照明位置から電照位置に自動的に移動させることができ、電照部を移動させる手間を省くことができる。
【００２８】
請求項６記載の筐体装置によれば、請求項１ないし４いずれか記載の筐体装置の効果に加えて、連動機構により、扉体の開放移動に連動して電照部を電照位置から内部照明位置に自動的に移動させるとともに、扉体の閉鎖移動に連動して電照部を内部照明位置から電照位置に自動的に移動させることができ、電照部を移動させる手間を省くことができる。
【００２９】
請求項７記載の筐体装置によれば、請求項１ないし６いずれか記載の筐体装置の効果に加えて、電照位置にある電照部によって本体の上面に開閉可能に設けられた扉部の開放を規制するとともに、電照部を内部照明位置に移動させることで扉体の開放を許容するため、例えば電照部を大形にしても扉部を確実に開閉できる。
【発明を実施するための最良の形態】
【００３０】
以下、本発明の一実施の形態を図面を参照して説明する。
【００３１】
図１ないし図３に第１の実施の形態を示す。
【００３２】
図１ないし図３には、筐体装置を適用した遊技媒体貸出装置を示し、この遊技媒体貸出装置としては、例えばゲームセンターなどの遊技店に設置されて遊技媒体であるメダルを貸し出すメダル貸機を示す。このメダル貸機は、前面に開口部11aを有する本体11とこの本体11の一側を支点として本体11の開口部11aを開閉可能に設けられた扉体12とから構成される筐体13を具備している。
【００３３】
扉体12の操作面である前面には、紙幣を入出金する紙幣入出金口15、硬貨を投入する硬貨投入口16、釣銭硬貨や両替硬貨が払い出される硬貨取出口17、メダルが払い出されるメダル取出口18、操作方法や複数のメダル貸パターンなどを表示するガイダンス表示部19、このガイダンス表示部19に表示された複数のメダル貸パターンの中からメダルの払出枚数を選択する複数の選択ボタン20などが配設されている。
【００３４】
扉体12の裏面には、払い出されるメダルを受け入れるカップを１つずつメダル取出口18に投出するカップ投出部21、メダル取出口18にカップが投出されたことを検知するカップ検知センサ22などが配設されている。
【００３５】
本体11の内部には、紙幣入出金口15から投入される紙幣を受け入れて処理するとともに釣銭紙幣を紙幣入出金口15に払い出す紙幣処理部24、硬貨投入口16から投入される硬貨を受け入れて処理するとともに釣銭硬貨や両替硬貨を硬貨取出口17に払い出す硬貨処理部25、複数枚のメダルを貯留するとともに選択された払出枚数分のメダルをメダル取出口18に投出するメダル投出部26、エラー解除、データ集計、メダル貸機の各種の設定などを行う係員操作部27、ジャーナルなどをプリントアウトするプリンタ28、メダル貸機を制御する制御部29、メダル貸機に電源を供給する電源部30などが配設されている。
【００３６】
本体11の上面には、メダル貸機の存在場所を目立たせるための電照部32が配設されている。この電照部32は、横長で箱形のケース33を有し、このケース33の少なくとも前面に例えば「メダル」なの文字が表示された透光性を有する透光表示パネル34が取り付けられた前面透光部35が設けられ、ケース33内に光源としての直管形蛍光ランプ36がその軸方向を略水平に配置して収容されている。
【００３７】
電照部32は、支持手段37によって、本体11の上部の定位置である電照位置と、この電照位置から前方に倒れて前面透光部35が下方へ向いた位置であって本体11から扉体12を開放した本体11と扉体12との間の開放域を通じて本体11や扉体12の内部を照明する内部照明位置との間で、前後方向に回動可能に支持されている。この支持手段37は、電照部32を本体11に対して前後方向に回動可能に支持するヒンジ機構などで構成されている。
【００３８】
そして、第１の実施の形態の作用を説明する。図１(a)に示すように、営業中には、電照部32が本体11の上部の電照位置に位置し、直管形蛍光ランプ36の光が前面透光部35の透光表示パネル34を透光し、メダル貸機の存在場所を目立たせる。
【００３９】
図１(b)に示すように、例えば貨幣の回収やエラー解除などのメンテナンス作業をする際には、係員により、扉体12を開き、電照部32を手前側の内部照明位置に倒す。これにより、電照部32の前面透光部35が下方へ向き、この前面透光部35の透光表示パネル34を透光する光で本体11の内部や扉体12の裏面を照明するため、メダル貸機が薄暗い場所に設置されていたとしても、作業する係員の手元を照明でき、メンテナンス作業を容易にできる。
【００４０】
メンテナンス作業の終了後は、電照部32を電照位置に起こし、扉体12を閉じる。
【００４１】
次に、図４に第２の実施の形態を示す。
【００４２】
電照部32の下面に、直管形蛍光ランプ36の光が透光される下面透光部41が設けられている。
【００４３】
支持手段37は、本体11の上面に立設された支柱42を有し、この支柱42に電照部32の一端が取り付けられている。電照部32は、支柱42を中心として、本体11の上部の電照位置と、この電照位置から前方へ略９０°水平に回動した位置であって本体11から扉体12を開放した本体11と扉体12との間の開放域上に下面透光部41が臨む内部照明位置との間で水平方向に回動可能に支持されている。
【００４４】
本体11の上面には、メダル投出部26にメダルを補充するためのメダル補充口43が形成され、このメダル補充口43に扉部としてのメダル補充用扉44が開閉可能に設けられている。このメダル補充用扉44は、電照部32が電照位置にあるときに開放が規制されるとともに電照部32が内部照明位置に移動することで開放可能としている。
【００４５】
そして、図４(a)に示すように、営業中には、電照部32が本体11の上部の電照位置に位置し、直管形蛍光ランプ36の光が前面透光部35の透光表示パネル34を透光し、メダル貸機の存在場所を目立たせる。電照部32が本体11の上部の電照位置に位置する状態では、下面透光部41が本体11の上面に対向され、電照部32がメダル補充用扉44の上方に位置してそのメダル補充用扉44の開放を規制している。
【００４６】
図４(b)に示すように、例えば貨幣の回収やエラー解除などのメンテナンス作業をする際には、係員により、扉体12を開き、電照部32を本体11の手前側の内部照明位置に水平回動させる。これにより、電照部32の下面透光部41が本体11と扉体12との開放域上に臨み、この下面透光部41を透光する直管形蛍光ランプ36からの光で本体11の内部や扉体12の裏面を照明するため、メダル貸機が薄暗い場所に設置されていたとしても、作業する係員の手元を照明でき、メンテナンス作業を容易にできる。そして、メンテナンス作業の終了後は、電照部32を電照位置に戻し、扉体12を閉じる。
【００４７】
また、図４(c)に示すように、電照部32を本体11の手前側の内部照明位置に水平回動させることにより、本体11の上面のメダル補充用扉44が開放可能となる。そのため、メダルを補充する場合には、係員により、メダル補充用扉44を開き、メダルをメダル補充口43に投入してメダル投出部26に補充する。メダル補充後は、メダル補充用扉44を閉じ、電照部32の回動を許容する。そして、電照部32を電照位置と内部照明位置との間で移動可能に設けていることにより、電照部32を大形にしても、メダル補充用扉44を開閉できる。なお、メダル補充口43からのメダル補充作業のみを行う際には、扉体12を閉鎖した状態のまま電照部32を回動させてもよい。
【００４８】
次に、図５に第３の実施の形態を示す。
【００４９】
電照部32が内部照明位置に移動したときに直管形蛍光ランプ36の発光管が下面透光部41を通じて本体11の内部へ向けて対向するように、直管形蛍光ランプ36を傾斜状に配置されている。すなわち、電照部32が支持された支柱42側の一端側より他端側が低い傾斜状であって、電照部32が内部照明位置に移動したときに本体11から離反した他端側が下降するように配置されている。このように、直管形蛍光ランプ36を傾斜状に配置することにより、直管形蛍光ランプ36からより多くの光を本体11の内部へ向けて照射し、本体11の内部をより明るくできる。
【００５０】
次に、図６に第４の実施の形態を示す。
【００５１】
支柱42を介して電照部32を電照位置と内部照明位置との間で回動駆動する電動式の駆動手段51を備える。
【００５２】
この駆動手段51は、本体11や扉体12の内部に設けた図示しないスイッチを係員が手動操作することで作動させるようにしてもよいし、扉体12の開閉を検知する図示しない開閉検知手段で検知して自動的に作動させるようにしてもよい。
【００５３】
開閉検知手段を用いる場合、開閉検知手段が扉体12の開放を検知すれば駆動手段51で電照部32を電照位置から内部照明位置に自動的に移動させ、開閉検知手段が扉体12の閉鎖を検知すれば駆動手段51で電照部32を内部照明位置から電照位置に自動的に移動させるための制御手段をメダル貸機の制御部29に機能として具備すればよい。このように、扉体12の開閉に連動して電照部32を自動的に移動させることにより、電照部32を移動させる操作の手間を省くことができる。
【００５４】
また、本体11の上面には、メダル補充口43とともにカップ補充口52が形成され、このカップ補充口52に扉部としてのカップ補充用扉53が開閉可能に設けられている。このカップ補充用扉53は、電照部32が電照位置にあるときに開放が規制されるとともに電照部32が内部照明位置に移動することで開放可能としている。
【００５５】
カップ補充用扉53には、このカップ補充用扉53を開放した状態でカップ補充口52上に突出して一度に補充できるカップの数を規制するカップ補充数規制部54が設けられている。これは、カップ補充口52から一度に大量のカップを落下させると、その衝撃でカップ投出部21の投出機構が破損するおそれがあるため、一度に補充できるカップの数を制限する。
【００５６】
なお、扉体12の開閉に連動して電照部32を自動的に移動させるには、電動式の構成に限らず、機構式の構成を用いてもよい。すなわち、扉体12の開放移動に連動して電照部32を電照位置から内部照明位置に自動的に移動させるとともに、扉体12の閉鎖移動に連動して電照部32を内部照明位置から電照位置に自動的に移動させる例えばリンク機構などを利用した図示しない連動機構を用いてよい。
【００５７】
また、電照部32の回動が電動式の場合には例えば本体11の背面などに設けたスイッチを係員が操作することで扉体12の閉鎖状態のまま電照部23を単体で回動できるようにしたり、電照部32が機構式の場合には扉体12の閉鎖状態のまま電照部32のみを手動で回動できるように構成してもよい。この場合、電照部32が単体で回動可能であるため、扉体12を閉鎖した状態のまま電照部32を回動させることにより、カップ補充口52からのカップ補充作業のみを行うことができる。
【００５８】
また、電照部32は、本体11の上部に設けたが、扉体12の上部に設けてもよく、この場合にも、支持手段37により、扉体12の上部の定位置である電照位置と、本体11から扉体12を開放した本体11と扉体12との間の開放域を通じて本体11や扉体12の内部を照明する内部照明位置との間で、移動可能に支持すればよい。
【００５９】
また、筐体装置を適用する遊技媒体貸出装置としては、メダル貸機に限らず、遊技媒体としてのパチンコ玉を貸し出すパチンコ玉貸機などにも適用でき、さらに、筐体装置は、遊技媒体貸出装置に限らず、両替機や自動販売機などにも適用できる。
【図面の簡単な説明】
【００６０】
【図１】本発明の筐体装置の第１の実施の形態を示すメダル貸機で、(a)は扉体を閉じかつ電照部を電照位置に配置した斜視図、(b)は扉体を開きかつ電照部を内部照明位置に回動させた斜視図である。
【図２】同上メダル貸機の扉体を開いた内部構造を示す正面図である。
【図３】同上メダル貸機の斜視図である。
【図４】本発明の筐体装置の第２の実施の形態を示すメダル貸機で、(a)は扉体を閉じかつ電照部を電照位置に配置した斜視図、(b)は扉体を開きかつ電照部を内部照明位置に水平回動させた斜視図、(c)は電照部を内部照明位置に移動させた状態で本体の上面の扉部を開いた斜視図である。
【図５】本発明の筐体装置の第３の実施の形態を示すメダル貸機で、(a)は扉体を閉じかつ電照部を電照位置に配置した斜視図、(b)は扉体を開きかつ電照部を内部照明位置に回動させた斜視図である。
【図６】本発明の筐体装置の第４の実施の形態を示すメダル貸機の一部の斜視図である。
【符号の説明】
【００６１】
11    本体
12    扉体
13    筐体
32    電照部
36    光源としての直管形蛍光ランプ
37    支持手段
41    下面透光部
44    扉部としてのメダル補充用扉
51    駆動手段
53    扉部としてのカップ補充用扉
【図１】
2005339440.tif 000003
【図２】
2005339440.tif 000004
【図３】
2005339440.tif 000005
【図４】
2005339440.tif 000006
【図５】
2005339440.tif 000007
【図６】
2005339440.tif 000008